(57)【要約】  本技術の小売マーケティング環境は、小売店と、消費者を購入体験に導く複数の体験ゾーンを提供する店の配置とを含む。第１の体験ゾーンは、小売店の正面ファサードと、フロントウィンドウから見ることができる商品をディスプレイする少なくとも１つのウィンドウディスプレイケースとを含む。第２の体験ゾーンは、製品情報を消費者に提供する対話型ディスプレイを含む。第３の体験ゾーンは、少なくとも１つの商品ディスプレイエリアと少なくとも１つの商品取り扱いエリアとを含む。第４の体験ゾーンは、消費者が商店員と対話できる複数の対話エリアを含む。ベール壁は、体験ゾーンの１又は複数を分離するために利用することができる。【選択図】図１
2015506427.tif 000002
【特許請求の範囲】
【請求項１】
Ａ．少なくとも１つのフロントウィンドウと少なくとも１つのドアとを含む正面ファサードを有する小売店と、
Ｂ．前記小売店の配置と
を備え、
前記配置は、
前記正面ファサードと前記フロントウィンドウから見ることができる商品をディスプレイする少なくとも１つのウィンドウディスプレイケースとを含む第１の体験ゾーンと、
製品情報を提供する対話型ディスプレイを含む第２の体験ゾーンと、
少なくとも１つの商品ディスプレイエリアと少なくとも１つの商品取り扱いエリアとを含む第３の体験ゾーンと、
消費者が商店員と対話できる複数の対話エリアを含む第４の体験ゾーンと
を含む、小売マーケティング環境。
【請求項２】
前記第１の体験ゾーンは更に、第１のディスプレイ壁の少なくとも一部を含む、請求項１に記載の小売マーケティング環境。
【請求項３】
前記小売店は更に、複数のディスプレイ壁を含む、請求項１または２に記載の小売マーケティング環境。
【請求項４】
各体験ゾーンは、他の体験ゾーンから１つのディスプレイ壁の少なくとも一部によって分離されている、請求項３に記載の小売マーケティング環境。
【請求項５】
各ディスプレイ壁は、少なくとも１つのディスプレイケース及び分離材を含む、請求項３または４に記載の小売マーケティング環境。
【請求項６】
各ディスプレイ壁の前記分離材は、複数の離間された垂直部材を含む、請求項５に記載の小売マーケティング環境。
【請求項７】
前記複数の離間された垂直部材は、前記小売店の床から前記小売店の天井内へと延びる、請求項６に記載の小売マーケティング環境。
【請求項８】
各ディスプレイ壁は更に、前記複数の離間された垂直部材に光を照射する前記天井の上の少なくとも１つの埋め込み型ライトを含む、請求項７に記載の小売マーケティング環境。
【請求項９】
前記対話型ディスプレイは複数のタッチスクリーンを含む、請求項１から８の何れか一項に記載の小売マーケティング環境。
【請求項１０】
前記少なくとも１つの商品ディスプレイエリアは、直立型のディスプレイケースを含む、請求項１から９の何れか一項に記載の小売マーケティング環境。
【請求項１１】
前記少なくとも１つの商品取り扱いエリアは、１又は複数の消費者が１又は複数の商店員と対話できる共同テーブルを含む、請求項１から１０の何れか一項に記載の小売マーケティング環境。
【請求項１２】
前記少なくとも１つの商品取り扱いエリアは、消費者が商品を見ることができる複数の個々のテーブルを含む、請求項１から１１の何れか一項に記載の小売マーケティング環境。
【請求項１３】
各対話エリアは、テーブルと複数の座席とを含む、請求項１から１２の何れか一項に記載の小売マーケティング環境。
【請求項１４】
複数の垂直部材と、
少なくとも１つのライトと
を備えるベール壁であって、
前記複数の垂直部材のそれぞれは、互いに他の垂直部材から、消費者が前記ベール壁を通して見るのに十分な量、離間されており、
前記少なくとも１つのライトは、前記複数の垂直部材のうちいずれかの一端に隣接しており、前記ライトは、前記１つの垂直部材に照射するよう方向づけられている、ベール壁。
【請求項１５】
前記複数の垂直部材は、少なくとも２つの断面積のサイズをもつ垂直部材を複数含む、請求項１４に記載のベール壁。
【請求項１６】
各垂直部材は、反射面を含む、請求項１４または１５に記載のベール壁。
【請求項１７】
各垂直部材は、金属及びプラスチックからなる群から選択される材料を含む、請求項１４から１６の何れか一項に記載のベール壁。
【請求項１８】
各垂直部材は剛体である、請求項１４から１７の何れか一項に記載のベール壁。
【請求項１９】
各垂直部材は、当該垂直部材の下端で床に取り付けられる、請求項１４から１８の何れか一項に記載のベール壁。
【請求項２０】
各垂直部材は、当該垂直部材の上端で天井の構造物に取り付けられる、請求項１４から１９の何れか一項に記載のベール壁。
【発明の詳細な説明】
【技術分野】
【０００１】
［関連出願の相互参照］
本願は、２０１１年１２月２９日に提出された米国仮特許出願第61/581,424号明細書に基づいており、その出願日の恩恵を享受する。本願の全内容の全体を参照としてここに組み込む。
【０００２】
本技術は、小売マーケティング環境に関し、特に、消費者を購入体験に導く複数の体験ゾーンを提供する小売店の配置に関する。
【背景技術】
【０００３】
小型の電子機器及び宝石等の特に貴重な商品の小売マーケティング環境は、商品をディスプレイに提示し、顧客は、購入を希望する商品を実際に入手するために、店員と対話をする必要がある。
【０００４】
こういった小売マーケティング環境は、概して、床に配置され、少なくとも１つの透明なフロントウィンドウを持つディスプレイケースを複数持ち、これを介して顧客はケース内にディスプレイされている商品を見ることができ、これにより、商店員がディスプレイケースの片側におり、顧客が反対側にいるというカウンタが形成されている。こういったディスプレイケースは、通常、施錠可能なスライド式の後部パネルを持ち、従業員はこれを開放した後、ディスプレイケース内に手を入れて、ケース内に商品を入れたり、顧客に検品させるために出したりすることができる。
【発明の概要】
【課題を解決するための手段】
【０００５】
本技術は、この特定の商品を検品したり、及び／又は、入手するために、消費者がディスプレイケースにディスプレイされている商品を詳細に調べてから、店員と対話する、小売マーケティング環境に関する。本技術の小売マーケティング環境は、消費者を購入体験に導く複数の体験ゾーンを提供する小売店と店の配置とを含む。
【０００６】
本技術の小売マーケティング環境は、小売店と、小売店のための配置とを含む。小売店は、少なくとも１つのフロントウィンドウ及び少なくとも１つのドアを含む正面ファサードと、正面ファサードに接続された第１の外側側壁と、正面ファサードに接続された第２の外側側壁とを含む。小売店の配置は、第１の体験ゾーンと、第２の体験ゾーンと、第３の体験ゾーンと、第４の体験ゾーンとを含む。第１の体験ゾーンは、正面ファサードと、フロントウィンドウから見ることができる商品をディスプレイする少なくとも１つのウィンドウディスプレイケースとを含む。第２の体験ゾーンは、製品情報を提供する対話型ディスプレイを含む。第３の体験ゾーンは、少なくとも１つの商品ディスプレイエリアと少なくとも１つの商品取り扱いエリアとを含む。第４の体験ゾーンは、消費者が商店員と対話できる複数の対話エリアを含む。
【０００７】
幾つかの例では、本技術の小売マーケティング環境において、体験ゾーンの１又は複数を分離するためにベール壁を利用することができる。ベール壁は、複数の垂直部材を含むことができ、各垂直部材は、各他の垂直部材から、十分な量離間されることにより、消費者がベール壁から覗くことができるようになっている。ベール壁は、更に、垂直部材の一端に隣接する少なくとも１つのライトを含むことができ、このライトは、垂直部材に対して照射するよう方向づけられている。
【図面の簡単な説明】
【０００８】
例示及び説明のために特定の例を選択し、添付図面にて示すが、これは明細書の一部をなす。
【０００９】
【図１】本技術の小売マーケティング環境の一例を示す。
【００１０】
【図２】図１の小売マーケティング環境の前面図である。
【００１１】
【図３】本技術の小売マーケティング環境の第２の例を示す。
【００１２】
【図４】本技術の小売マーケティング環境で利用可能なディスプレイケースの第１の例を示す。
【００１３】
【図５】本技術の小売マーケティング環境で利用可能なディスプレイケースの第２の例を示す。
【００１４】
【図６】本技術の小売マーケティング環境で利用可能なディスプレイケースの第３の例を示す。
【００１５】
【図７】本技術のベール壁に搭載された図４のディスプレイケースの片側の例を示す。
【００１６】
【図８】本技術のベール壁に搭載された図４のディスプレイケースの両側の例を示す。
【００１７】
【図９】本技術の小売マーケティング環境で利用可能な直立型のディスプレイケース（standing display case）の一例を示す。
【発明を実施するための形態】
【００１８】
小売環境で顧客に提供される購入体験は、その消費者の、その商品に関連付けられたブランドの品質及び性質の認識に影響を持ちうる。例えば、小売店の配置は、小売店内のディスプレイにおける商品に対する消費者の印象を形成する環境である。消費者が、彼らにふさわしいレベルで参加、体験、学習、及び表現させてもらえる小売環境においては、消費者は、その小売購入体験をより快く感じるだろうし、これによって、商品に関連付けられたブランドに対してより良いイメージを感じるだろう。
【００１９】
本技術の小売マーケティング環境は、消費者が小売購入体験中に通過する複数の体験ゾーンを提供する小売店の配置を含む。各体験ゾーンは異なる目的を持っており、商店員及び購入用にディスプレイされている商品との異なるレベルの相互作用を消費者に提供する。
【００２０】
図１及び図２は、小売店１０２と小売店の配置１０４とを含む本技術の小売マーケティング環境１００の一例を示す。例示されているように、配置１０４は、第１の体験ゾーン１０６、第２の体験ゾーン１０８、第３の体験ゾーン１１０、及び、第４の体験ゾーン１１２を含む、少なくとも４つの体験ゾーンを含む。各体験ゾーンを囲う点線が示すように、体験ゾーン同士は少なくともある程度重なっていてよく、これにより消費者は、スムーズに移行を行い、より一貫性のある小売購入体験ができるようになっている。
【００２１】
基本的な物理的構造として、小売店１０２は、正面ファサード１１４を持つことができ、これは、少なくとも１つのフロントウィンドウ１１６と、小売店１０２に出入りするための入口を提供する少なくとも１つのドア１１８とを含んでいる。小売店１０２は更に、正面ファサード１１４に接続された第１の外側側壁１２０と、正面ファサード１１４に接続された第２の外側側壁１２２とを含むことができる。小売店は更に、第１の外側側壁１２０と第２の外側側壁１２２とに接続された後部壁１２４と、後部サポートエリア１２６とを含んでよい。示されている例では、少なくとも１つのフロントウィンドウ１１６が、第１の外側側壁１２０からドア１１８へと水平方向に延び、床１２８から小売店１０２の天井１３０まで垂直方向に延びることができ、小売店１０２の内部の全貌が見えるようになっている。
【００２２】
図１及び図２に示す小売マーケティング環境１００では、体験ゾーンが複数のディスプレイ壁１３４、１３６，１３８、及び１４０によって分離されている。各ディスプレイ壁は、少なくとも１つの内部ディスプレイケース１４２と、分離材１４４とを含む。好適には、各ディスプレイ壁が、複数の内部ディスプレイケース１４２を含む。分離材１４４は、中実の壁であってもよいし、又は、さらに詳しく後述するように、例えばベール壁を含む、複数の垂直部材を含む任意の他の適切な種類の壁であってもよい。ディスプレイ壁が複数の垂直部材を含むとき、各ディスプレイケース１４２が、少なくとも１つの垂直部材の上に搭載されてよい。
【００２３】
第１の体験ゾーン１０６は、小売店１０２の前面に位置している引き込みゾーン（intrigue zone）である。第１の体験ゾーン１０６は、小売店１０２の正面ファサード１１４を含み、更に、フロントウィンドウ１１６から見ることができるよう商品をディスプレイする少なくとも１つのウィンドウディスプレイケース１３２を含む。図１に示すように、第１の体験ゾーン１０６は、更に、第１のディスプレイ壁１３４の少なくとも一部を含むことができる。
【００２４】
第２の体験ゾーン１０８は情報ゾーン（knowledge zone）であり、ここで、消費者は、販売されている商品に関する情報、商品に関連付けられたブランド、及び／又は、商品を購入する消費者が利用可能な更なるサービス等の製品情報を得ることができる。第２の体験ゾーン１０８は、製品情報を提供する対話型ディスプレイ１４６を含むことができる。例示されているように、対話型ディスプレイ１４６は、壁搭載型ディスプレイであり、これは複数のタッチスクリーン１４８を含み、少なくとも１人の消費者が各タッチスクリーンをいつでも操作することができる。
【００２５】
第３の体験ゾーン１１０は、手で触れるゾーン（tangible zone）であり、ここで消費者は、ディスプレイされている商品を見て、消費者による検品及び取り扱いのために、商店員にディスプレイから商品を出してもらうことができる従って、第３の体験ゾーンは、少なくとも１つの商品ディスプレイエリア１５０と少なくとも１つの商品取り扱いエリア１５２とを含むことができる。少なくとも１つの商品ディスプレイエリア１５０は、１又は複数の内部ディスプレイケース１４２をディスプレイ壁上に含むことができ、更に、少なくとも１つの直立型のディスプレイケース１５４を含むこともできる。少なくとも１つの商品取り扱いエリア１５２は、共同テーブル１５６を含むことができ、ここで１又は複数の消費者が１又は複数の商店員と対話することができる。
【００２６】
第４の体験ゾーン１１２は、関係ゾーン（relationship zone）であり、複数の対話エリア１５８を含むことができ、ここで消費者たちが商店員たちと対話することができる。各対話エリアは少なくとも１つのテーブル１６２と複数の座席１６０とを含むことができる。第４の体験ゾーンでは、消費者と商店員とが、他の体験ゾーンよりも個人的なレベルで対話することができる。
【００２７】
図３は、小売店２０２と小売店のための配置２０４とを含む本技術の小売マーケティング環境２００の第２の例を示す。例示されているように、配置２０４は、第１の体験ゾーン２０６、第２の体験ゾーン２０８、第３の体験ゾーン２１０、及び第４の体験ゾーン２１２を含む、少なくとも４つの体験ゾーンを含む。各体験ゾーンを囲う点線が示すように、体験ゾーンは互いに隣接していてよい。
【００２８】
図１及び図２の例に同様に、図３に示す小売店２０２も、正面ファサード２１４を持つことができ、これは、少なくとも１つのフロントウィンドウ２１６と、小売店２０２に出入りするための入口を提供する少なくとも１つのドア２１８とを含んでいる。小売店２０２は更に、第１の外側側壁２２０と、第２の外側側壁２２２と、後部壁２２４と、後部サポートエリア２２６とを含むことができる。
【００２９】
第１の体験ゾーン２０６は、小売店２０２の前面に位置している引き込みゾーンである。第１の体験ゾーン２０６は、小売店２０２の正面ファサード２１４を含み、更に、フロントウィンドウ２１６から見ることができるよう商品をディスプレイする少なくとも１つのウィンドウディスプレイケース２３２を含む。
【００３０】
第２の体験ゾーン２０８は情報ゾーンであり、ここで、消費者は、販売されている商品に関する情報、商品に関連付けられたブランド、及び／又は、商品を購入する消費者が利用可能な更なるサービス等の製品情報を得ることができる。第２の体験ゾーン２０８は、製品情報を提供する対話型ディスプレイ２４６を含むことができる。例示されているように、対話型ディスプレイ２４６は、カウンタであり、これは複数のタッチスクリーンを含むことができ、少なくとも１人の消費者が各タッチスクリーンをいつでも操作することができる。
【００３１】
第３の体験ゾーン２１０は、手で触れるゾーンであり、ここでは、消費者がディスプレイされている商品を見て、消費者による検品及び取り扱いのために、商店員にディスプレイから商品を出してもらうことができる。従って、第３の体験ゾーンは、少なくとも１つの商品ディスプレイエリア２５０と少なくとも１つの商品取り扱いエリア２５２とを含むことができる。少なくとも１つの商品ディスプレイエリア２５０は、複数のディスプレイ壁２３４を含む。各ディスプレイ壁２３４は、少なくとも１つの内部ディスプレイケース２４２と分離材２４４とを含む。好適には、各ディスプレイ壁が、複数の内部ディスプレイケース２４２を含む。分離材２４４は、中実の壁であってもよいし、又は、さらに詳しく後述するように、例えばベール壁を含む、複数の垂直部材を含む任意の他の適切な種類の壁であってもよい。ディスプレイ壁が複数の垂直部材を含むとき、各ディスプレイケース２４２が、少なくとも１つの垂直部材の上に搭載されてよい。
【００３２】
第４の体験ゾーン２１２は、関係ゾーンであり、複数の対話エリア２５８を含むことができ、ここで消費者たちが商店員たちと対話することができる。各対話エリアは少なくとも１つのテーブル２６２と複数の座席２６０とを含むことができる。第４の体験ゾーンでは、消費者と商店員とが、他の体験ゾーンよりも個人的なレベルで対話することができる。
【００３３】
図４から図６は、本技術の内部ディスプレイケースの様々な例の前面図であり、前面ビューイングパネルからケースのディスプレイエリアが覗き込まれている。本技術の内部ディスプレイケースとしての利用に適したディスプレイケースの数例が、本願と同時に出願された「Mounted Display Case（搭載されたディスプレイケース）」と題する米国仮出願第61/581,415号明細書に記載されており、この内容の全体をここに参照として組み込む。
【００３４】
図４に示されている内部ディスプレイケース４００の前面は、正方形の形状をもつ。内部ディスプレイケースは、上部４０２、左側壁４０４、右側壁４０６、及びディスプレイエリア４０８をもつ。ディスプレイエリア４０８は、後部パネル４１０と、上部４０２に取り付けられた上部パネル４１２と、左側壁４０４に取り付けられた左側パネル４１４と、右側壁４０６に取り付けられた右側パネル４１６と、ディスプレイ引き出し４１８とを含む。ディスプレイ引き出し４１８は、ディスプレイケース４００の上部４０２及び側壁４０４、４０６に取り付けられた前面ビューイング窓４２４から見ることができる商品を保持するよう構成されている。ディスプレイ引き出し４１８は、商品をディスプレイすることができるディスプレイ面４２０と底部グリップ４２２とを含むことができる。ディスプレイ面４２０は、ディスプレイ引き出し４１８が閉鎖位置にあるとき、その上端のディスプレイエリア４０８の背面から、その下端のディスプレイエリア４０８の前面まで傾けることができるようになっている。ディスプレイ引き出し４１８は、側壁４０４及び４０６を含むフレームにスライド可能に接続することができ、閉鎖位置から開放位置へとスライドさせることができる。閉鎖位置にあるとき、ディスプレイ引き出し４１８は、ディスプレイエリア４０８内に収めることができる。開放位置にあるとき、ディスプレイ引き出し１２０は、ディスプレイエリア４０８の下に伸ばすことができる。商店員は、ディスプレイケースの底部グリップ４２２を掴み、力を加えて、ディスプレイ引き出し４１８を閉鎖位置から開放位置へと動かすことができる。
【００３５】
図５に示すディスプレイケース５００の前面は矩形であり、左側壁５０４と右側壁５０６とが、上部５０２の長さより大きい長さを持っている。ディスプレイケースは、図４を参照して上述したパネル及びディスプレイ引き出しを持つことができる。ディスプレイケース５００の後部パネル５０８は、所望の高さに位置してよく、中心をずらして配置されてよい。例えば、後部パネル５０８は、垂直方向に中心をずらして配置することで、後部パネル５０８の水平方向のセンターラインＡが、ディスプレイケース５００の水平方向のセンターラインＢの上になるようにすることができる。
【００３６】
図６に示すディスプレイケース６００の前面は矩形であり、左側壁６０４と右側壁６０６とが、上部６０２の長さより小さい長さを持っている。ディスプレイケースは、図４を参照して上述したパネル及びディスプレイ引き出しを持つことができる。ディスプレイケース６００の後部パネル６０８は、所望の高さに位置させることができ、中心をずらして配置させることができる。例えば、後部パネル６０８は、垂直方向に中心をずらして配置することで、後部パネル６０８の水平方向のセンターラインＣが、ディスプレイケース６００の水平方向のセンターラインＤの上になるようにすることができる。後部パネル６０８は、更に、水平方向に中心をずらして位置させられてもよく、例えば、例示されているように、後部パネル６０８の垂直方向のセンターラインＥが、ディスプレイケース６００の垂直方向のセンターラインＦの左側にくるようにすることもできる。
【００３７】
図７及び図８は、それぞれ本技術のディスプレイ壁７００及び８００の例を示す。図７に示すように、本技術の幾つかのディスプレイケースは、片側であってよく、ディスプレイケース７１４の前面の第１のディスプレイエリア７０２のみを持つことができる。図８に示すように、本技術の幾つかのディスプレイケースは、両側であってもよく、ディスプレイケース８１６の前面の第１のディスプレイエリア８０２と、ディスプレイケース８１６の後部の第２のディスプレイエリア８０４とを持つことができる。
【００３８】
図７及び図８に示すように、本技術のディスプレイケースは、任意の所望の高さに搭載することができ、これには例えば、商品７０６、８０６、８０８を見ている消費者７０４、８０４の頭部及び胸部と揃う位置にディスプレイケースのビューイングエリア７０２、８０２、８０４が配置される高さが含まれる。幾つかの例では、ディスプレイケース７００、８００が、ケースの上部７０８、８１０が、小売店の床７１０、８１２から約５フィート（約1.524メートル）から約７フィート（約2.1336メートル）の高さにあるよう、搭載されてよい。
【００３９】
更に、図７及び図８に示すように、各ディスプレイ壁７００、８００の分離材７１２、８１４が、ベール壁であり、これは複数の垂直部材７１６、８１８を含む。各垂直部材７１６、８１８は、互いに他の垂直部材７１６、８１８から、消費者がベール壁を通して見るのに十分な量、離間されてよく、これにより消費者が他の体験ゾーンを見ることができるようになる。各垂直部材７１６、８１８は、剛体であってもよいし、中実又は中空であってもよい。一例では、少なくとも１つの垂直部材７１６、８１８が中空であり、内部にケーブルを挿入して、ディスプレイケース７１４、８１６に給電できるようになっていてよい。各ディスプレイケース７１４、８１６は、離間された垂直部材７１６、８１８の１又は複数の上に搭載することができる。離間された垂直部材７１６、８１８は、小売店の床７１０、８１２から、小売店の天井７１８、８２０内へと延びることができる。各垂直部材７１６、８１８は、該垂直部材７１６、８１８の下端で床７１０、８１２に取り付けることができる。各垂直部材７１６、８１８は、更に、又はこれに代えて、天井７１８、８２０の構造物に、該垂直部材７１６、８１８の上端で取り付けることができる。
【００４０】
各垂直部材７１６、８１８は、断面積を有することができる。各垂直部材７１６、８１８の断面積は、任意の適切な形状であってよく、任意の他の垂直部材７１６、８１８の断面積の形状と同じであっても異なっていてもよい。例えば、各垂直部材７１６、８１８は、円形、長円形、四角形、又は任意の他の定形又は不定形の形状である断面形状を有してよい。各垂直部材７１６、８１８の断面積は、更に任意の適切なサイズであってよく、これは、任意の他の垂直部材７１６、８１８の断面積のサイズと同じであっても異なっていてもよい。例えば、任意の所与のベール壁における複数の垂直部材７１６、８１８は、１又は複数の断面積のサイズをもつ垂直部材７１６、８１８を含むことができる。一例では、ベール壁における複数の垂直部材７１６、８１８は、少なくとも２つの断面積のサイズをもつ垂直部材７１６、８１８を含む。
【００４１】
各垂直部材７１６、８１８は、例えば金属又はプラスチックを含む任意の適切な材料から形成することができる。少なくとも数例においては、垂直部材７１６、８１８は、反射面を有するように、反射材で形成することができ、又は、反射被膜を有することができる。
【００４２】
ディスプレイ壁７００、８００等の各ベール壁は、垂直部材の一端に隣接している少なくとも１つのライトを含むこともでき、ライトは、垂直部材の上に照射するよう方向づけられる。図７及び図８に示すように、天井７１８、８２０の上に位置する少なくとも１つの埋め込み型ライト（recessed light）７２０、８２２が存在している。各埋め込み型ライト７２０、８２２は、離間された垂直部材７１６、８１８に対して光を照射することができる。
【００４３】
図９は、本技術の直立型のディスプレイケース９００の一例を示す。直立型のディスプレイケース９００としての利用に適したディスプレイケースの１つの種類が、本願と同時に出願された「Standing Display Case（直立型のディスプレイケース）」と題する米国意匠登録番号D668081号明細書に記載されており、この内容の全体をここに参照として組み込む。図９に示すように、直立型のディスプレイケース９００は、第１のディスプレイエリア９０２、第２のディスプレイエリア９０４、及び第３のディスプレイエリア９０６を含む、複数のディスプレイエリアをもつ。各ディスプレイエリアは、商品をディスプレイすることができるディスプレイ引き出し９０８を有する。
【００４４】
上記したことから、特定の例がここでは例示目的で記載されているが、本開示の精神又は範囲から逸脱することなく様々な変形例を実施することが可能であることが理解されるだろう。従って、上記の詳細な説明は限定ではなく例示として捉えられ、請求される主題を特に指摘し明確に請求することを意図されているのは、全ての均等物を含む以下の請求項であることが理解されるべきである旨を意図している。
【図１】
2015506427.tif 000003
【図２】
2015506427.tif 000004
【図３】
2015506427.tif 000005
【図４】
2015506427.tif 000006
【図５】
2015506427.tif 000007
【図６】
2015506427.tif 000008
【図７】
2015506427.tif 000009
【図８】
2015506427.tif 000010
【図９】
2015506427.tif 000011
【国際調査報告】
2015506427.tif 000012
2015506427.tif 000013
2015506427.tif 000014